(57)【特許請求の範囲】
【請求項１】
複数の建材を吊り込んだ状態で上方へ吊り上げる建材吊り上げ装置において、
前記複数の建材を同時に吊り込み可能とした上部吊りフレームを備え、
前記上部吊りフレームの内側における三角形状の領域の各辺に対応する位置に前記複数の建材のそれぞれを吊り込んだ状態で、前記上部吊りフレームを三点吊りして吊り上げ可能としたこと、
を特徴とする建材吊り上げ装置。
【請求項２】
前記上部吊りフレームは、三角形状に形成されていることを特徴とする請求項１記載の建材吊り上げ装置。
【請求項３】
複数の建材を同時に吊り込み可能とした上部吊りフレームを備え、前記上部吊りフレームの内側における三角形状の領域の各辺に対応する位置に前記複数の建材のそれぞれを吊り込んだ状態で、前記上部吊りフレームを三点吊りして吊り上げ可能とした建材吊り上げ装置の周囲に、前記複数の建材を台車に載せて配置し、
前記建材吊り上げ装置に前記建材をそれぞれ連結し、
前記建材吊り上げ装置を上方に移動させて前記複数の建材を同時に吊り上げる、
建材吊り上げ方法。
【発明の詳細な説明】
【０００１】
【発明の属する技術分野】
本発明は、高層ビルの建築などの際に用いられる建材吊り上げ装置及び建材吊り上げ方法に関するものである。
【０００２】
【従来の技術】
従来、高層ビルの建築の際に建材を吊り上げるために用いられる装置として、特開平１１−２９３９２７号公報に記載されるように、四つの外装材を四角形状に配置して同時に吊り上げる板状外装材の取付装置が知られている。この装置は、外装材を複数同時に吊り上げることにより、吊り上げ回数を低減して作業効率を向上させようとするものである。
【０００３】
【発明が解決しようとする課題】
しかしながら、このような装置を用いて外壁材を吊り上げて建物に設置する場合、吊り上げた外装材をビル上方の建築現場で装置から取り外す際に、装置の姿勢が不安定となりやすい。例えば、一部の外装材を装置から取り外すと、装置の重心位置が大きく移動する。これにより、装置が傾いたりして不安定となる。この対策として、上述の公報記載の装置では、姿勢制御装置を付加して傾きを低減している。この場合、吊り上げ装置に姿勢制御装置を取り付ける必要があり、吊り上げ装置の構成が複雑となりコストも嵩むこととなる。
【０００４】
また、上述した装置により外装材を吊り込む場合、電動チェーンブロックを操作して外装材を吊り込む必要があり、その吊り込みに時間がかかる。このような建材の吊り込み作業に時間をかけず、効率よい建材吊り上げを行うことが望ましい。
【０００５】
そこで本発明は、このような問題点を解決するためになされたものであって、簡易な構造で安定して建材の吊り上げ作業が行える建材吊り上げ装置を提供し、また建材の吊り上げ作業が効率よく行える建材吊り上げ工法を提供することを目的とする。
【０００６】
【課題を解決するための手段】
すなわち、本発明に係る建材吊り上げ装置は、複数の建材を吊り込んだ状態で上方へ吊り上げる建材吊り上げ装置において、複数の建材を同時に吊り込み可能とした上部吊りフレームを備え、上部吊りフレームの内側における三角形状の領域の各辺に対応する位置に複数の建材のそれぞれを吊り込んだ状態で、上部吊りフレームを三点吊りして吊り上げ可能としたことを特徴とする。
【０００７】
また本発明に係る建材吊り上げ装置において、上述の上部吊りフレームが三角形状に形成されていることが望ましい。
【０００８】
この発明によれば、一部の建材を取り外した際に、重心移動が少ないため、装置の姿勢の傾きが小さく、建材の移送などが安定して行える。また、姿勢制御装置などを用いる必要がないため、簡易な構造とすることができる。
【０００９】
また本発明に係る建材吊り上げ装置は、一つの建材の重量に対し０．５〜２倍の重量で構成することが望ましい。この場合、建材と建材吊り上げ装置の重量バランスをとることによって、建材吊り上げ装置に一部の建材を吊り込んだときでも姿勢の傾きを低減できる。従って、簡易な構造であって重量を軽く構成することができ、安定した建材の吊り上げが可能となる。
【００１０】
また、本発明に係る建材吊り上げ方法は、上述した建材吊り上げ装置の周囲に、複数の建材を台車に載せて配置し、建材吊り上げ装置に建材をそれぞれ連結し、建材吊り上げ装置を上方に移動させて複数の建材を同時に吊り上げるものである。
【００１１】
この発明によれば、建材の吊り込みの際に建材を台車に載置することにより、建材の円滑な移動が可能となる。このため、建材を建材吊り上げ装置に連結して建材吊り上げ装置を上方移動することにより、建材の吊り込みが行える。また、建材吊り上げ装置の降下及び着地が迅速かつ容易に行える。従って、連続した建材の吊り上げ作業が効率良く、迅速に行える。
【００１２】
【発明の実施の形態】
以下、添付図面を参照して本発明の実施の形態を詳細に説明する。なお、図面の説明において同一の要素には同一の符号を付し、重複する説明を省略する。
【００１３】
（第一実施形態）
図１は本実施形態に係る建材吊り上げ装置の側面図である。図１に示すように、本実施形態に係る建材吊り上げ装置１は、建物の建築の際に建材１０を建物の上方へ吊り上げるために用いられるものである。吊り上げべき建材１０は、建物の外装材であるプレキャスト柱である。
【００１４】
建材吊り上げ装置１には、上部吊りフレーム２が設けられている。上部吊りフレーム２は、複数の建材１０を同時に吊り込み可能としたものであり、例えば水平に配された複数のビーム材２１により構成され、そのビーム材２１にウインチ２２を取り付けて複数の建材１０を同時に吊り込めるようになっている。
【００１５】
上部吊りフレーム２には、吊り金具２３が取り付けられている。吊り金具２３は、クレーンなどにより昇降するワイヤ４１を掛け止めるためのものであり、三つ取り付けられ、建材吊り上げ装置１を三点吊りできるようになっている。
【００１６】
上部吊りフレーム２の下方には、中央フレーム３が設けられている。中央フレーム３は、上部吊りフレーム２に吊り込まれた複数の建材１０の中央に位置し、建材吊り上げ装置１の載置時において上部吊りフレーム２を支持する支持部材として機能するとともに、建材吊り上げ装置１を吊り上げた時において建材１０同士の衝突を防止する衝突防止手段として機能する。中央フレーム３としては、例えば、鋼材を組み合わせて、三角柱状に形成されたものが用いられる。
【００１７】
図２に建材吊り上げ装置１の平面図を示す。
【００１８】
図２に示すように、上部吊りフレーム２は、三角形状に形成することが望ましい。例えば、三つのビーム材２１を三角形状に結合して、上部吊りフレーム２が形成される。この場合、吊り金具２３は、三角形状の上部吊りフレーム２の三つの角部の位置に取り付けられる。これにより、建材吊り上げ装置１の三つの吊り位置（吊り金具２３の位置）を結んでなる領域の境界線上又はその領域内部に建材１０が吊り込まれることとなる。従って、一部の建材１０を吊り込んだ場合でも、建材吊り上げ装置１の姿勢が安定する。
【００１９】
また、一つのビーム材２１に対し一つの建材１０が吊り込み可能となっている。このとき、各ビーム材２１の中央位置に建材１０の重心が位置するように、建材１０が吊り込まれる。
【００２０】
次に本実施形態に係る建材吊り上げ装置の使用方法及びその機能を説明する。
【００２１】
図１に示すように、建材吊り上げ装置１を載置した状態で、上部吊りフレーム２に三つの建材１０をそれぞれ吊り込む。この吊り込み作業は、例えばウインチ２２に巻回されるチェーンを建材１０に掛け止め、ウインチ２２を巻き上げることによって行われる。
【００２２】
そして、図３に示すように、クレーン（図示なし）を用いて、建材吊り上げ装置１と共に各建材１０を吊り上げる。このとき、建材吊り上げ装置１は三本のワイヤ４１により三点吊りの状態で引き上げられる。すなわち、吊り金具２３にそれぞれワイヤ４１の一端を連結し、それらのワイヤ４１の他端をフック４２にそれぞれ引っ掛けて三点吊りの状態とし、建材吊り上げ装置１の上方移動を行う。
【００２３】
そして、図４に示すように、建材吊り上げ装置１及び建材１０が施工位置に到達したら水平移動を行い、建物５１の施工位置に建材１０を近づける。そして、施工位置に一つの建材１０を取り付けると共に、その建材１０を建材吊り上げ装置１から取り外す。
【００２４】
このとき、建材吊り上げ装置１から一つの建材１０が取り外されることによって、図５のように、建材吊り上げ装置１及び建材１０の重心Ｇが中央位置Ｃから移動する。しかしながら、二つの建材１０、１０と建材吊り上げ装置１との重量のバランスによって、重心Ｇの移動はわずかであり、建材吊り上げ装置１の姿勢の傾きは小さい。
【００２５】
このため、建材１０を建材吊り上げ装置１から取り外す際に建材吊り上げ装置１が大きく傾いて揺れ動くことが防止され、建材１０の設置作業及び建材１０の移送が安全に行える。
【００２６】
そして、建材吊り上げ装置１をフック４２を中心に回転させて、建材１０を建物５１側に向ける。この建材吊り上げ装置１の回転は、建物５１に待機する作業員により行えばよい。その際、吊り金具２３の位置に回転用ロープ（図示なし）を予め取り付けておき、そのロープを用いて建材吊り上げ装置１の回転作業を行うことが望ましい。この場合、建材吊り上げ装置１の回転作業が簡易な部材によって容易に行うことができる。
【００２７】
そして、さらに建材吊り上げ装置１に吊り込まれる建材１０を建物５１に取り付けるとともに、その建材１０を建材吊り上げ装置１から取り外す。これにより、図６に示すように、建材吊り上げ装置１に吊り込まれる建材１０は一つとなり、重心Ｇが移動する。このときも、建材１０と建材吊り上げ装置１との重量のバランスによって、重心Ｇの移動は小さく、建材吊り上げ装置１の姿勢の傾きは小さい。
【００２８】
このため、建材１０を建材吊り上げ装置１から取り外す際に建材吊り上げ装置１が大きく傾いて揺れ動くことが防止され、建材１０の設置作業及び建材１０の移送が安全に行える。
【００２９】
以上のように、本実施形態に係る建材吊り上げ装置１によれば、一部の建材１０を取り外した際に重心Ｇの移動が小さいため、装置１の姿勢の傾きが小さく、建材１０の吊り上げなどの移送が安定して行える。また、姿勢制御装置などを用いる必要がないため、簡易な構造とすることができる。
【００３０】
また、この建材吊り上げ装置１は、同時に吊り上げられる複数の建材１０のうち一つの建材１０の重量に対し０．５〜２倍の重量で構成することが望ましい。また、より望ましくは、建材１０の重量に対し装置１の重量は、１〜１．５倍の重量で構成される。この場合、重量が軽く簡易な構造でありながら、安定した建材１０の吊り上げが実現できる。例えば、建材１０に対し装置１を十分に重くすれば、一部の建材１０を取り外した場合でも装置１の姿勢傾きを小さくすることができる。しかし、この場合、装置１の重量が重くなるため、定格荷重の大きいクレーンが必要となり、施工コストが高くなるなどの弊害がある。これに対し、装置１と建材１０の重量バランスをとることにより、装置１の重量を重くすることなく、装置１に一つの建材１０を吊り込んだ状態でも装置１の姿勢の傾きを小さくすることができる。具体的な重量としては、吊り上げるべき建材１０の重量が２トンの場合、建材吊り上げ装置１の重量は１〜４トンとされる。
【００３１】
なお、本実施形態では、建材吊り上げ装置１に三つの建材１０を吊り込む場合について説明したが、本発明に係る建材吊り上げ装置はそのようなものに限られるものではなく、二つ又は四つ以上の建材を吊り込むものに適用する場合もある。
【００３２】
（第二実施形態）
次に本発明の第二実施形態に係る建材吊り上げ装置及び建材吊り上げ工法ついて説明する。
【００３３】
図７に本実施形態に係る建材吊り上げ装置の側面図を示す。図７に示すように、本実施形態に係る建材吊り上げ装置１ａは、第一実施形態の建材吊り上げ装置１と同様に、建物の建築の際に建材１０を建物の上方へ吊り上げるために用いられるものであり、基本構造はほぼ同じである。本実施形態に係る建材吊り上げ装置１ａは、吊り上げべき建材１０ａが建物の外装材であるプレキャスト梁である点で、第一実施形態に係る建材吊り上げ装置１と異なっている。
【００３４】
建材吊り上げ装置１ａには、上部吊りフレーム２ａが設けられている。上部吊りフレーム２ａは、複数の建材１０ａを同時に吊り込み可能としたものであり、例えば複数のビーム材２１を水平に配置し、そのビーム材２１の上に吊り部材２４を設置して構成される。吊り部材２４にはウインチ２２が取り付けられ、複数の建材１０ａを同時に吊り込めるようになっている。
【００３５】
上部吊りフレーム２には、吊り金具２３が取り付けられている。吊り金具２３は、クレーンなどにより昇降するワイヤ４１を掛け止めるためのものであり、三つ取り付けられ、建材吊り上げ装置１ａを三点吊りできるようになっている。
【００３６】
上部吊りフレーム２の下方には、中央フレーム３が設けられている。中央フレーム３は、上部吊りフレーム２に吊り込まれた複数の建材１０の中央に位置し、建材吊り上げ装置１ａの載置時において上部吊りフレーム２を支持する支持部材として機能するとともに、建材吊り上げ装置１ａの吊り上げ時において建材１０ａ同士の衝突を防止する衝突防止手段として機能する。中央フレーム３としては、例えば、鋼材を組み合わせて、三角柱状に形成されものが用いられる。
【００３７】
図２に建材吊り上げ装置１ａの平面図を示す。
【００３８】
図２に示すように、上部吊りフレーム２は、三角形状に形成することが望ましい。例えば、三つのビーム材２１を三角形状に連結して上部吊りフレーム２が形成される。この場合、吊り金具２３は、三角形状の上部吊りフレーム２の三つの角部の位置に取り付けられる。
【００３９】
また、一つのビーム材２１に対し一つの建材１０ａが吊り込み可能となっている。このとき、各ビーム材２１の中央位置に建材１０ａの重心が位置するように、建材１０ａが吊り込まれる。
【００４０】
次に本実施形態に係る建材吊り上げ方法について説明する。
【００４１】
まず、図９に示すように、建材吊り上げ装置１ａの周囲に複数の建材１０ａをそれぞれ台車３１に載せて配置する。このとき、台車３１は、建材１０ａ全体を載置可能なものでもよいし、図９のように、建材１０ａの荷重の一部を支持し、角材３２とともに建材１０ａを支持するものであってもよい。台車３１としては、円滑に移動できるものであればよく、例えば下部に車輪を取り付けたものが用いられる。
【００４２】
そして、建材吊り上げ装置１ａの上部吊りフレーム２１にチェーン２５を介して建材１０ａを連結する。このとき、建材１０ａに取付部材２６を取り付け、この取付部材２６を介して連結してもよい。この場合、所望の姿勢で建材１０ａを吊り込もうとする際に建材１０ａに適当な取付箇所がない場合であっても、建材１０を所望の姿勢で吊り込むことが可能となる。
【００４３】
そして、クレーン（図示なし）を用いて、建材吊り上げ装置１ａを上方に移動させる。この上方移動により、チェーン２５を通じて各建材１０ａが建材吊り上げ装置１ａ側に引き寄せられる。その際、建材１０ａは台車３１に載せられているので、円滑に移動する。このため、建材１０ａがこの移動の際にその下部が床面に擦られて傷付くなどの不具合が防止される。
【００４４】
そして、建材吊り上げ装置１ａをさらに上方へ移動させることにより、図７に示すように、各建材１０ａを同時に建材吊り上げ装置１ａに吊り込むことができる。そして、建材吊り上げ装置１ａと共に各建材１０ａを建材設置位置まで吊り上げる。このとき、建材吊り上げ装置１ａは三本のワイヤ４１により三点吊りの状態で引き上げられる。
【００４５】
そして、建材吊り上げ装置１ａ及び建材１０ａが施工位置に到達したら水平移動を行い、建物の施工位置に建材１０ａを近づける。そして、施工位置に一つの建材１０ａを取り付けると共に、その建材１０を建材吊り上げ装置１ａから取り外す。
【００４６】
そして、建材１０ａを一つずつ順次、装置１ａからの取り外し、建物への取り付けていく。その際、建材吊り上げ装置１ａから一部の建材１０ａを取り外したときの姿勢の傾きが小さくなり、建材吊り上げ装置１ａの揺れ動きが防止され、建材１０ａの設置作業及び建材１０ａの移送が安全に行える点は、第一実施形態に係る建材吊り上げ装置１と同様である。
【００４７】
そして、全ての建材１０ａを建材吊り上げ装置１ａから取り外したら、建材吊り上げ装置１ａを地上へ降下させる。地上では、図９のような状態で、建材１０ａを予め建材吊り上げ装置１ａの降下位置の周囲に配置しておく。このとき、建材１０ａは台車３１に載置することにより円滑な移動が可能であるので、装置１ａの降下位置からある程度離して配置することができる。これにより、建材吊り上げ装置１ａの着地の際に、配置した建材１０ａに建材吊り上げ装置１ａが接触し又は衝突するなどの不具合を回避でき、建材吊り上げ装置１ａの降下及び着地が迅速かつ容易に行える。従って、連続した建材１０ａの吊り上げ作業が迅速に行える。
【００４８】
そして、建材吊り上げ装置１ａを降下したら、再び建材１０ａの吊り込みを行い、連続して建材１０ａの吊り上げが行われる。
【００４９】
以上のように、本実施形態に係る建材吊り上げ装置１ａによれば、第一実施形態に係る建材吊り上げ装置１と同様に、一部の建材１０ａを取り外した際に重心移動が少ないため、装置１ａの姿勢の傾きが小さく、建材１０ａの吊り上げなどの移送が安定して行える。また、姿勢制御装置などを用いる必要がないため、簡易な構造とすることができる。
【００５０】
また、本実施形態に係る建材吊り上げ方法によれば、建材吊り上げ装置１ａへの吊り込む際に建材１０ａを台車３１に載置することにより、建材１０ａの円滑な移動が可能である。このため、建材１０ａの吊り込みが建材吊り上げ装置１ａの上方移動と同時に行える。また、建材吊り上げ装置１ａの降下及び着地が迅速かつ容易に行える。従って、連続した建材１０ａの吊り上げ作業が効率良く、迅速に行える。
【００５１】
なお、本実施形態では、建材吊り上げ装置１ａに三つの建材１０ａを吊り込む場合について説明したが、本発明に係る建材吊り上げ装置はそのようなものに限られるものではなく、二つ又は四つ以上の建材を吊り込むものに適用する場合もある。
【００５２】
【発明の効果】
以上説明したように本発明によれば、簡易な構造でありながら安定して建材の吊り上げ作業が行える建材吊り上げ装置を提供することができる。
【００５３】
また、建材の吊り上げ作業が効率よく行える建材吊り上げ工法を提供することができる。
【図面の簡単な説明】
【図１】本発明の実施形態に係る建材吊り上げ装置の説明図である。
【図２】図１の建材吊り上げ装置の平面図である。
【図３】図１の建材吊り上げ装置を用いた建材吊り上げ作業の説明図である。
【図４】図１の建材吊り上げ装置を用いた建材吊り上げ作業の説明図である。
【図５】図１の建材吊り上げ装置における重心移動の説明図である。
【図６】図１の建材吊り上げ装置における重心移動の説明図である。
【図７】第二実施形態に係る建材吊り上げ装置の説明図である。
【図８】図７の建材吊り上げ装置の平面図である。
【図９】図７の建材吊り上げ装置を用いた建材吊り上げ方法の説明図である。
【符号の説明】
１…建材吊り上げ装置、２…上部吊りフレーム、３…中央フレーム、１０…建材。
【図１】
0003811419.tif 000002
【図２】
0003811419.tif 000003
【図３】
0003811419.tif 000004
【図４】
0003811419.tif 000005
【図５】
0003811419.tif 000006
【図６】
0003811419.tif 000007
【図７】
0003811419.tif 000008
【図８】
0003811419.tif 000009
【図９】
0003811419.tif 000010